【手続補正書】
【提出日】平成20年3月14日(2008.3.14)
【手続補正１】
【補正対象書類名】明細書
【補正対象項目名】特許請求の範囲
【補正方法】変更
【補正の内容】
【特許請求の範囲】
【請求項１】  デジタル・マルチメディア・ストリーミング・コンテンツを記憶し、配信ポリシーに基づいて自動的にデジタル・マルチメディア・ストリーミング・コンテンツを配信するための複数のサーバから構成されたデータ・センタと、
前記データ・センタと通信を行う複数の中間ポイント・オブ・プレゼンス（「ＰＯＰ」）サイトであって、各々の中間ＰＯＰには前記データ・センタにて記憶された前記デジタル・マルチメディア・ストリーミング・コンテンツの部分が複製される１つまたは複数のサーバが備えられている中間ＰＯＰと、
エンド・ユーザおよび１つまたは前記複数の前記中間ＰＯＰサイトと通信するための複数のエッジＰＯＰであって、各々のエッジＰＯＰには前記エンド・ユーザに要求された前記デジタル・マルチメディア・ストリーミング・コンテンツをキャッシュ部分のための１つまたは複数のサーバーを備える複数のエッジＰＯＰと、
から構成され、前記データ・センタは、複数のコンテンツレコードおよびコンテンツ配信マネジャをさらに備えており、このマネージャによりデータベースへの問い合わせを行い、その問い合わせが前記デジタル・マルチメディア・ストリーミング・コンテンツを複製を示している場合に前記デジタル・マルチメディア・ストリーミング・コンテンツを自動的に配信し、
前記データベース・コンテンツ・レコードそれぞれは、デジタル・マルチメディア・ストリーミング・コンテンツと各前記中間ＰＯＰとの関連を提供し、前記エッジＰＯＰにて関連コンテンツは複製されることを特徴とする分散エッジ・ネットワーク・アーキテクチャ。
【請求項２】  デジタル・マルチメディア・ストリーミング・コンテンツを記憶し、また前記複数の中間ＰＯＰサイトと通信するための１つまたは複数の追加のデータ・センタをさらに有することを特徴とする請求項１に記載のコンテンツ分散アーキテクチャ。
【請求項３】  中間ＰＯＰより多い数のエッジＰＯＰと、データ・センタより多い数の中間ＰＯＰを有することを特徴とする請求項１に記載のコンテンツ分散アーキテクチャ。
【請求項４】  前記中間ＰＯＰと前記データ・センタの間の通信をサポートする専用プライベート通信チャネルをさらに有することを特徴とする請求項１に記載のコンテンツ分散アーキテクチャ。
【請求項５】  前記エッジＰＯＰは、公共ネットワークを介して前記中間ＰＯＰと通信することを特徴とする請求項４に記載のコンテンツ分散アーキテクチャ。
【請求項６】  前記プライベート通信チャネルは、Ｄｉｇｉｔａｌ  Ｓｉｇｎａｌ（「ＤＳ」）チャネルであることを特徴とする請求項４に記載のコンテンツ分散アーキテクチャ。
【請求項７】  前記プライベート通信チャネルは、ＤＳ−３チャネルであることを特徴とする請求項６に記載のコンテンツ分散アーキテクチャ。
【請求項８】  前記データ・センタにはデータ・センタ・オペレーションズ・スタッフが配備されていることを特徴とする請求項１に記載のコンテンツ分散アーキテクチャ。
【請求項９】  １つまたは複数のコンテンツ・プロバイダからマルチメディア・ストリーミング・コンテンツを受信するための１次記憶設備と、
前記１次記憶設備において記憶された前記マルチメディア・ストリーミング・コンテンツの部分がミラーリングされる１つまたは複数のサーバをそれぞれが有する、前記１次記憶設備と通信するように結合された複数の２次記憶設備と、
前記２次記憶設備と通信するように結合され、エンド・ユーザによって要求された前記マルチメディア・ストリーミング・コンテンツの部分をキャッシュするための１つまたは複数のサーバを有する複数の３次記憶設備と、
から構成され、前記一次記憶設備は複数のコンテンツ・レコードとコンテンツ配信マネジャを備え、前記配信マネジャによりデータベースに問い合わせを行い、前記問い合わせが前記デジタル・マルチメディア・ストリーミング・コンテンツの複製を示す場合、自動的に前記デジタル・マルチメディア・ストリーミング・コンテンツを配信し、
それぞれの前記データベース・コンテンツ・レコードはデジタル・マルチメディア・ストリーミング・コンテンツと前記２次、３次記憶設備のそれぞれの関連を提供し、各記憶設備においてコンテンツが複製されることを特徴とするシステム。
【請求項１０】  前記３次記憶設備は、１つまたは複数のインターネット・サービス・プロバイダと同じ場所に配置されていることを特徴とする請求項９に記載のシステム。
【請求項１１】  前記２次記憶設備は、プライベート専用通信チャネルを介して前記１次記憶設備と通信するように結合されていることを特徴とする請求項９記載のシステム。
【請求項１２】  前記２次記憶設備は、前記インターネットを介して前記３次記憶設備と通信するように結合されていることを特徴とする請求項１１に記載のシステム。
【請求項１３】  １つまたは複数のコンテンツ・プロバイダからマルチメディア・ストリーミング・コンテンツを受信するための１次記憶手段と、
前記１次記憶手段と通信するように結合され、前記１次記憶手段において記憶された前記マルチメディア・ストリーミング・コンテンツの部分がミラーリングされる１つまたは複数のサーバを有する２次記憶手段と、
前記２次記憶手段と通信するように結合され、エンド・ユーザによって要求された前記マルチメディア・ストリーミング・コンテンツの部分をキャッシュするための１つまたは複数のサーバを有する３次記憶手段と、
から構成され、前記一次記憶設備は、複数のコンテンツ・レコードとコンテンツ配信マネジャを備え、前記配信マネジャによりデータベースに問い合わせを行い、前記問い合せが前記デジタル・マルチメディア・ストリーミング・コンテンツの複製を指示する場合、自動的に前記デジタル・マルチメディア・ストリーミング・コンテンツを配信し、
それぞれの前記データベース・コンテンツ・レコードはデジタル・マルチメディア・ストリーミング・コンテンツと前記２次、３次記憶設備のそれぞれの関連を提供し、各前記記憶設備においてコンテンツが複製されることを特徴とするシステム。
【請求項１４】  前記３次記憶手段は、１つまたは複数のインターネット・サービス・プロバイダと同じ場所に配置されていることを特徴とする請求項１３に記載のシステム。
【請求項１５】  前記２次記憶手段は、プライベート専用通信チャネルを介して前記１次記憶手段と通信するように結合されていることを特徴とする請求項９に記載のシステム。
【請求項１６】  前記２次記憶手段は、インターネットを介して前記３次記憶手段と通信するように結合されていることを特徴とする請求項１３に記載のシステム。
【請求項１７】  コンピュータ・ネットワーク上でマルチメディア・ストリーミング・コンテンツを配信するための方法であって、
データ・センタにおいて前記マルチメディア・コンテンツを受信するステップと、
前記マルチメディア・ストリーミング・コンテンツを複製するかどうか決定するためにコンテンツ・データベースに問い合わせを行うステップと、
前記問い合わせにより前記デジタル・マルチメディア・ストリーミング・コンテンツを複製するよう指示がある場合、前記データセンタから１つ又は複数の中間ＰＯＰサイトに自動的に前記マルチメディア・ストリーミング・コンテンツを複製するステップと、
前記中間ＰＯＰサイトの１つから１つまたは複数のエッジＰＯＰサイトに、前記マルチメディア・ストリーミング・コンテンツをコピーするステップと、
前記データ・センタに前記マルチメディア・ストリーミング・コンテンツが受信され、前記中間ＰＯＰサイトおよび前記エッジＰＯＰサイトに前記コンテンツがコピーされたときに、前記データ・センタにおけるコンテンツ・データベースを更新するステップと、
から構成され、前記データベースが前記マルチメディア・ストリーミング・コンテンツがコピーされる前記中間ＰＯＰサイトおよび前記エッジＰＯＰサイトを示すことを特徴とする方法。
【請求項１８】  前記データ・センタで受信された前記マルチメディア・ストリーミング・コンテンツは、コンテンツ・プロバイダから伝送されることを特徴とする請求項１７に記載の方法。
【請求項１９】  前記データ・センタから前記１つまたは複数の中間ＰＯＰへのコピーが、コンテンツ・プロバイダからの入力に応答して行われることを特徴とする請求項１７に記載の方法。